(57)【要約】実施形態は、送信されたシンボルの個々の推定からなるセットの各々が、個々の推定に対応する信号品質値としきい値の関係に基づいて、合成シンボル推定に加えられる信号処理の方法を含み、しきい値は、信号品質値のうちの最大値に基づいている。
2009510941.tif 000002
【特許請求の範囲】
【請求項１】
送信信号の複数の受信インスタンスの各々に対して、（Ａ）前記送信信号によって伝送されたシンボルの複素値推定と、（Ｂ）信号品質値とを獲得し、
前記複数の信号品質値の中の少なくとも１つに基づいて、しきい値を計算し、
前記複数の受信インスタンスの各々に対して、対応するロック状態を決定し、
前記シンボル推定及び対応するロック状態に基づいて、前記送信信号によって伝送されたシンボルの複素値合成推定を計算するステップとを含んでおり、
前記複数の受信インスタンスの中の少なくとも１つに対して、前記決定するステップは、前記対応する信号品質値と前記しきい値との関係に基づいている、信号処理の方法。
【請求項２】
前記しきい値を計算するステップは、前記信号品質値のうちの最大値に基づいて前記しきい値を計算するステップを含んでいる、請求項１に記載の信号処理の方法。
【請求項３】
複素値合成推定の前記計算するステップは、前記複素値推定のうちの少なくとも２つをコヒーレントに合成するステップを含んでいる、請求項１に記載の信号処理の方法。
【請求項４】
前記複素値合成推定は、前記シンボルの同相成分によって伝送された第１の値の推定と、前記シンボルの直交成分によって伝送された、前記第１の値とは異なる第２の値の推定とを含む、請求項１に記載の信号処理の方法。
【請求項５】
複素値合成シンボル推定の前記計算するステップは、複数の受信インスタンスの各々に対して、対応するロック状態が第１の値を有する場合に、複素値合成シンボル推定内の対応する複素値シンボル推定を含み、前記対応するロック状態が、前記第１の値とは異なる第２の値を有する場合に、前記複素値合成シンボル推定から、対応する複素値シンボル推定を除外するステップとを含んでいる、請求項１に記載の信号処理の方法。
【請求項６】
前記方法は、前記複数の受信インスタンスの各々に対して、対応する送信チャネルの応答の推定を獲得するステップを含んでおり、
前記複数の受信インスタンスのうちの少なくとも１つに対して、前記信号品質値は、前記対応する推定チャネル応答に基づいている、請求項１に記載の信号処理の方法。
【請求項７】
前記方法は、前記複数の受信インスタンスのうちの少なくとも１つに対して、および前記対応する推定チャネル応答に基づいて、前記複素値シンボル推定の位相を変更するステップを含んでいる、請求項６に記載の信号処理の方法。
【請求項８】
前記方法は、前記複数の受信インスタンスの各々に対して、（Ｃ）前記送信信号によって伝送された別のシンボルの複素値推定と、（Ｄ）別の信号品質値とを獲得し、
前記他の信号品質値のうちの少なくとも１つに基づいて、別のしきい値を計算し、
他のシンボルの複素値推定、他の信号品質値および他のしきい値に基づいて、前記他のシンボルの複素値合成推定を計算するステップとを含んでいる、請求項１に記載の信号処理の方法。
【請求項９】
前記方法は、第１のシンボル期間中に、前記送信信号によって伝送された第１のシンボルに関して実行され、
前記方法は、前記第１のシンボル期間と連続している第２のシンボル期間中に、前記送信信号によって伝送された第２のシンボルに関して、請求項１に記載の信号処理の方法の第２のインスタンスを実行するステップを含んでおり、前記第２のシンボルは、前記第１のシンボルとは異なり、
前記方法は、前記第２のシンボル期間と連続している第３のシンボル期間中に、前記送信信号によって伝送された第３のシンボルに関して、請求項１に記載の信号処理の方法の第３のインスタンスを実行するステップを含んでおり、前記第３のシンボルは、前記第１のシンボルとは異なり、かつ前記第３のシンボルは、前記第２のシンボルとは異なる、請求項１に記載の信号処理の方法。
【請求項１０】
複素値合成推定の前記計算するステップは、前記シンボル推定のうちの少なくとも２つの間の相対時間遅延を補正するステップを含んでいる、請求項１に記載の信号処理の方法。
【請求項１１】
信号品質値の前記獲得するステップは、受信エネルギの尺度を計算するステップを含んでいる、請求項１に記載の信号処理の方法。
【請求項１２】
前記複数の受信インスタンスは、第１のアンテナを介して受信した第１のセットと、前記第１のアンテナとは異なる第２のアンテナを介して受信した第２のセットとを含む、請求項１に記載の信号処理の方法。
【請求項１３】
前記複数の受信インスタンスは、第１のアンテナを介して受信した第１のセットと、前記第１のアンテナとは異なる第２のアンテナを介して受信した第２のセットとを含み、
しきい値の前記計算するステップは、前記第１のセットの信号品質値のうちの最大値に基づいて、第１のしきい値を計算し、前記第２のセットの信号品質値のうちの最大値に基づいて、第２のしきい値を計算するステップとを含んでおり、
対応するロック状態の前記決定するステップは、前記第１のセットの少なくとも１つに対して、前記対応する信号品質値と前記第１のしきい値の関係に基づいており、前記第２のセットのうちの少なくとも１つに対して、前記対応する信号品質値と前記第２のしきい値の関係に基づいている、請求項１に記載の信号処理の方法。
【請求項１４】
請求項１に記載の信号処理の方法を記述するマシン可読命令のセットを有するデータ記憶媒体。
【請求項１５】
各々が、送信信号の複数の受信インスタンスのうちの対応する１つに対して、（Ａ）信号品質値と、（Ｂ）前記送信信号によって伝送されたシンボルの複素値推定とを計算するように構成された複数のフィンガと、
前記複数の信号品質値のうちの少なくとも１つに基づいて、しきい値を計算するように構成されたしきい値計算器と、
前記複数の受信インスタンスの各々に対して、ロック状態を決定するように構成された比較器と、
前記シンボル推定及び対応するロック状態に基づいて、前記送信信号によって伝送されたシンボルの複素値合成推定を計算するように構成されたコンバイナと、
を備え、前記複数の受信インスタンスのうちの２つ以上の各々に対して、前記比較器は、前記対応する信号品質値と前記しきい値の関係に基づいて、前記対応するロック状態を決定するように構成されている、信号処理のための装置。
【請求項１６】
前記しきい値比較器は、前記信号品質値のうちの最大値に基づいて、前記しきい値を計算するように構成されている、請求項１５に記載の信号処理のための装置。
【請求項１７】
前記複数のフィンガの各々は、前記対応する送信チャネルの応答の推定を計算するように構成されており、
前記複数のフィンガのうちの少なくとも１つは、前記対応する推定チャネル応答に基づいて、前記対応する信号品質値を計算するように構成されている、請求項１５に記載の信号処理のための装置。
【請求項１８】
前記複数のフィンガのうちの少なくとも１つは、前記対応する推定チャネル応答に基づいて、前記複素値シンボル推定の位相を変更するように構成されている、請求項１７に記載の信号処理のための装置。
【請求項１９】
前記複数のフィンガの各々は、少なくとも３つの連続するシンボル期間の各々に、信号品質値を計算するように構成されており、
前記しきい値計算器は、前記少なくとも３つの連続するシンボル期間の各々に対して、前記しきい値の異なるインスタンスを計算するように構成されており、
前記少なくとも３つの連続するシンボル期間の各々に対して、および前記複数の受信インスタンスの各々に対して、前記比較器は、前記対応する信号品質値と、前記期間のしきい値のインスタンスの関係に基づいて、対応するロック状態を決定するように構成されている、請求項１５に記載の信号処理のための装置。
【請求項２０】
前記複数の受信インスタンスは、第１のアンテナを介して受信した第１のセットと、前記第１のアンテナとは異なる第２のアンテナを介して受信した第２のセットとを含む、請求項１５に記載の信号処理のための装置。
【請求項２１】
送信信号の複数の受信インスタンスの各々に対して、（Ａ）前記送信信号によって伝送されたシンボルの複素値推定と、（Ｂ）信号品質値とを獲得する手段と、
前記複数の信号品質値の中の少なくとも１つに基づいて、しきい値を計算する手段と、
前記複数の受信インスタンスの各々に対して、対応するロック状態を決定する手段であって、前記複数の受信インスタンスの中の少なくとも１つに対して、前記決定することが、前記対応する信号品質値と前記しきい値との関係に基づいている、手段と、
前記シンボル推定及び対応するロック状態に基づいて、前記送信信号によって伝送されたシンボルの複素値合成推定を計算する手段と、
を備える、信号処理のための装置。
【請求項２２】
前記しきい値を計算する手段は、前記信号品質値のうちの最大値に基づいて、前記しきい値を計算するように構成されている、請求項２１に記載の信号処理のための装置。
【請求項２３】
前記装置は、前記複数の受信インスタンスの各々に対して、前記対応する送信チャネルの応答の推定を獲得する手段を備え、
前記複数の受信インスタンスのうち少なくとも１つに対して、前記複素値推定と信号品質値とを獲得する手段は、前記対応する推定チャネル応答に基づき、前記信号品質値を計算するように構成されている、請求項２１に記載の信号処理のための装置。
【請求項２４】
前記複数の受信インスタンスのうちの少なくとも１つに対して、複素値推定及び信号品質値の前記獲得する手段は、前記対応する推定チャネル応答に基づいて、前記複素値シンボル推定の位相を変更するように構成されている、請求項２３に記載の信号処理のための装置。
【請求項２５】
複素値推定及び信号品質値の前記獲得する手段の各々は、少なくとも３つの連続するシンボル期間の各々に、信号品質値を計算するように構成されており、
前記しきい値を計算する手段は、前記少なくとも３つの連続するシンボル期間の各々に、前記しきい値の異なるインスタンスを計算するように構成されており、
前記少なくとも３つの連続するシンボル期間の各々に、および前記複数の受信インスタンスの各々に対して、対応するロック状態を決定する手段は、前記対応する信号品質値と、前記期間のしきい値のインスタンスの関係に基づいて、対応するロック状態を決定するように構成されている、請求項２１に記載の信号処理のための装置。
【請求項２６】
前記複数の受信インスタンスは、第１のアンテナを介して受信した第１のセットと、前記第１のアンテナとは異なる第２のアンテナを介して受信した第２のセットとを含む、請求項２１に記載の信号処理のための装置。
【発明の詳細な説明】
【技術分野】
【０００１】
この発明は無線通信に関する。
【背景技術】
【０００２】
本願は、２００５年９月２９日に出願された「フィンガロック状態を規定するシステム、方法及び装置（SYSTEMS,METHODS,AND APPARATUS FOR ESTABLISHING FINGER LOCK STATE）」というタイトルの米国仮特許出願第６０／７２２，１３１号の利益を主張する。
【０００３】
スペクトル拡散技術は、無線通信に幅広く用いられている。スペクトル拡散技術の現在の用途は、携帯電話用システム、携帯電話データ転送用システム、衛星と地上局との間の通信用システムおよび無線ＬＡＮを含む。スペクトル拡散技術の１つの一般的な構成は、符号分割多元接続（ＣＤＭＡ）信号変調である。ＣＤＭＡシステムは、（１）「ＴＩＡ／ＥＩＡ−９５−Ｂ  デュアルモードワイドバンドスペクトル拡散セルラーシステムのための移動局・基地局間の互換性規格（Mobile Station-Base Station Compatibility Standard for Dual-Mode Wideband Spread Spectrum Cellular System）」（ＩＳ−９５規格）、（２）「ＴＩＡ／ＥＩＡ−９８−Ｃ  デュアルモードワイドバンドスペクトル拡散セルラー移動局のための推奨最小規格（Recommended Minimum Standard for Dual-Mode Wideband Spread Spectrum Cellular Mobile Station)」(IS-98規格)、（３）３ＧＰＰ（３ｒｄ  Ｇｅｎｅｒａｔｉｏｎ  Ｐａｒｔｎｅｒｓｈｉｐ  Ｐｒｏｊｅｃｔ）という団体によって提案され、ドキュメントＮｏ．３Ｇ  ＴＳ  ２５．２１１、３Ｇ  ＴＳ  ２５．２１２、３Ｇ  ＴＳ  ２５．２１３及び３Ｇ  ＴＳ  ２５．２１４を含むドキュメントからなるセットに具体化されている規格（ＷＣＤＭＡ規格）、（４）３ＧＰＰ２（３ｒｄ  Ｇｅｎｅｒａｔｉｏｎ  Ｐａｒｔｎｅｒｓｈｉｐ  Ｐｒｏｊｅｃｔ  ２）という団体によって提案され、「ＴＲ−４５．５  ｃｄｍａ２０００  スペクトル拡散システムのための物理層規格（Physical Layer Standard for cdma2000 Spread Spectrum Systems）」、「Ｃ．Ｓ０００５  ｃｄｍａ２０００  スペクトル拡散システムのための上位層（レイヤー３）シグナリング規格（Upper Layer(Layer 3)Signaling Standard for cdma2000 Spread Spectrum Systems）」および「Ｃ．Ｓ００２４  ＣＤＭＡ２０００  高速パケットデータエアインタフェース仕様（High Rate Packet Data Air Interface Specification）」を含むドキュメントからなるセットに具体化されている規格（ＣＤＭＡ２０００規格）および（５）他の規格等の１つ以上のＣＤＭＡ規格をサポートするように設計することができる。
【０００４】
一般的なＣＤＭＡシステムにおいて、音声、および／または他の情報等のデータトラフィックは、（無線基地局装置（base transceiver station）またはＢＴＳとも呼ばれる）基地局と、ユーザ機器（user equipment；ＵＥ）との間の無線リンクを通じて交換される。上記ＢＴＳは、情報を、公衆交換電話網（public switched telephone network；ＰＳＴＮ）、および／またはパケットデータ交換網（packet data switched network；ＰＤＳＮ）等の１つ以上のネットワークによって交換するように構成することもできる。ＢＴＳは、移動体ＵＥとの通信セッションのハンドオフ等のアクティビティをサポートするために、他のＢＴＳ、および／または制御装置と通信することができる。上記ＢＴＳとネットワークまたは他のＢＴＳとの間の通信は、有線、および／または無線接続を通じて実行することができる。
【０００５】
ＵＥは、携帯電話、または、無線加入者回線（wireless local loop；ＷＬＬ）において見出すことのできるような固定設備等のセルラー電話に具体化されているレシーバ（receiver）を含んでもよい。一般的には、上記レシーバは、上記ＵＥのトランシーバ内に含まれており、または、上記トランシーバに一体化されている。上記レシーバは、上記ＵＥのチップまたはチップセット内に含むことができ、または、上記チップ内に具体化されている。上記ＵＥは、無線データモデムまたは他の周辺機器、携帯情報端末（ｐｅｒｓｏｎａｌ  ｄｉｇｉｔａｌ  ａｓｓｉｓｔａｎｔ；ＰＤＡ）、または衛星航法システム（ｇｌｏｂａｌ  ｐｏｓｉｔｉｏｎｉｎｇ  ｓｙｓｔｅｍ；ＧＰＳ）機器等の別のモバイルまたはポータブルユニットの一部とすることもできる。また、上記ＵＥは、カメラ、または、ビデオまたはＭＰ３プレーヤー等の別のマルチメディア機器を含んでもよく、あるいは、これらの機器の一部とすることもできる。
【０００６】
単一送信スペクトル拡散信号のいくつかのインスタンスは、上記レシーバに到達することができ、各インスタンスは、異なる伝搬路に対応し、異なる時間に到着する。スペクトル拡散信号用のレシーバまたはトランシーバは、一般的には、送信された信号の２つ以上の受信インスタンスを処理するレーキ（rake）レシーバアーキテクチャを用いる。図１Ａは、（「復調素子（demodulation element）」または「フィンガプロセッサ（finger processor）」とも呼ばれる）多数のフィンガを有するレーキレシーバの実施例を示しており、この場合、各フィンガは、前記信号の異なるマルチパスインスタンス（multipath instance）に相当する受信シンボルの推定を出力する。インスタンス間の相対時間遅延（または、スキュー(
skew)）を補正するデスキュー（deskewing）後に、コンバイナ（combiner）は、様々なシンボル推定を一緒に加えて、合成シンボル推定（combined symbol estimate）を生成する。
【０００７】
各フィンガがトラッキングする特定のマルチパスインスタンスは、これらのフィンガの中で協調的に、フィンガによって自律的に決定され、および／または上記フィンガによって受信された割当てに従ってサーチャー（searcher）から決定することができる。図１Ｂは、サーチャーを含むレーキレシーバアーキテクチャの実施例を示す。上記サーチャーは、受信したマルチパス信号におけるピーク時の位置を決定し、対応するピークの時間オフセットに従って、各フィンガを１つの経路に割当てる。上記サーチャーは、符号位相（code phase）に関して、割当てられた経路の遅延を示すオフセット値を上記フィンガに与えることができ、または、上記サーチャーは、この割当てられた経路の遅延に従って、オフセットである拡散符号のバージョンを供給することができる。
【０００８】
同じシンボルのより多くの受信インスタンスに対応するシンボル推定が合成されるため、合成された推定の信号対雑音比（signal-to-noise ratio；ＳＮＲ）が改善されることを期待することができる。従って、一般的には、可能であれば、いくつかの異なる受信インスタンスに対応するシンボル推定を合成することが好ましい。いくつかの受信インスタンスは、弱い可能性があるが、これらの受信インスタンスは、信号エネルギよりも多い雑音エネルギを含んでいる。そのようなインスタンスからの推定を含むことは、全体のＳＮＲを低減する可能性があり、これらの場合においては、合成されたシンボル推定から前記推定を除外することが好ましい可能性がある。
【発明の開示】
【発明の概要】
【０００９】
一実施形態による信号処理の方法は、送信した信号の複数の受信インスタンスの各々に対して、送信信号によって伝送されたシンボルの複素値推定（complex-valued estimate）と、信号品質値とを獲得することを含む。また、前記方法は、これらの複数の信号品質値の中の少なくとも１つに対して、しきい値を計算することと、複数の受信インスタンスの各々に対して、対応するロック状態を決定することとを含む。前記複数の受信インスタンスのうちの少なくとも１つに対して、ロック状態を決定することは、対応する信号品質値と前記しきい値との関係に基づいている。前記方法は、シンボル推定および対応するロック状態に基づいて、前記送信信号によって伝送されたシンボルの複素値合成推定を計算することを含む。
【００１０】
一実施形態による信号処理の装置は、各々が、送信信号の複数の受信インスタンスのうちの対応する１つに対して、（Ａ）信号品質値と、（Ｂ）前記送信信号によって伝送されたシンボルの複素値推定とを計算するように構成された、複数のフィンガを含む。また、前記装置は、前記複数の信号品質値の中の少なくとも１つに基づいて、しきい値を計算するように構成されたしきい値計算器と、前記複数の受信インスタンスの各々に対して、ロック状態を決定するように構成された比較器と、前記シンボル推定及び対応するロック状態に基づいて、前記送信信号によって伝送された前記シンボルの複素値合成推定を計算するように構成されたコンバイナとを含む。前記複数の受信インスタンスの２以上の各々に対して、前記比較器は、対応する信号品質値としきい値との関係に基づいて、前記対応するロック状態を決定するように構成されている。
【００１１】
例示の便宜上、添付された図面における受信信号に関連する時間で変動する値は、相互に関連して時間でデスキューされて図示されている。
【詳細な説明】
【００１２】
本明細書に記載されている実施形態は、スペクトル拡散通信システムにおけるフィンガロック状態に関する有効な決定を与えるために実施することのできる新規でかつ改良された方法及び装置を含む。本明細書に記載されている例示的な実施形態は、ＣＤＭＡ通信システムとの関連で記載されている。この文脈での利用は有利である可能性があるが、本明細書に記載された原理は、異なる環境または構成に組み込まれている実施形態にも適用することができる。
【００１３】
一般的に、本明細書に記載されている様々なシステム及び装置は、集積回路、ソフトウェアおよび／またはファームウェアによって制御されるプロセッサ、および／または個別論理を用いて形成することができる。アプリケーション全体を通して参照することのできるデータ、命令、コマンド、情報、信号、シンボル及びチップは、電圧、電流、電磁波、磁界または粒子、光場（optical fields）または粒子、あるいはこれらの組合せによって表すことができる。また、各ブロック図に示されているブロックは、１つの方法のハードウェアまたは構成要素の動作を表す可能性もある。
【００１４】
文脈によって明確に限定されていない限り、「得る、獲得する」という用語は、計算すること、測定すること、推定すること、検知すること、（例えば、別のデバイスから）受信すること、および（例えば、ストレージエレメントから）取り出すことを含んでいる元々の意味のうちのいずれかを指すのに用いられる。文脈によって明確に限定されていない限り、「計算する」という用語は、その元々の意味に加えて、計算または他の演算の結果に従って（例えば、リストまたはテーブルから）値を選択することを含み、および「計算された値」という用語は、その元々の意味に加えて、計算または他の演算の結果に従って（例えば、リストまたはテーブルから）選択される値を含む。
【００１５】
一般的なＣＤＭＡ受信アプリケーションにおいて、各トラッキングされた信号インスタンスの品質は、時間と共に変わる。例えば、受信インスタンスに対応する送信チャネルの応答は、大気効果、受信機器の自己干渉、他の機器からの干渉、トランスミッタまたはレシーバの移動、および伝搬路内または付近の人またはオブジェクトの動き等の原因によって変化する可能性がある。これらの原因のうちのいくつかは、異なる受信インスタンスに対応するチャネルに影響を及ぼす可能性があるが、他の点では、チャネルのフェージング特性は、独立性を確保している可能性がある。
【００１６】
経路を通じて受信した信号の品質は、定期的に評価することが好ましい。例えば、弱い信号からのシンボル推定は、信号エネルギよりも多くの雑音を含む傾向があるため、そのような推定を合成シンボル推定から排除することが好ましい。従って、対応するシンボル推定を合成することに関して、理に適った決定を行えるように、様々な受信インスタンスの品質に関する情報を得ることが望ましい。また、もはや存続可能なインスタンスをトラッキングしないフィンガを識別して、再割り当てできることが望ましい。
【００１７】
現在、受信インスタンスをトラッキングしている各フィンガに対して、レーキレシーバは、信号品質測定の対応値を計算する。この信号品質値（受信信号強度表示（received signal strength indication；ＲＳＳＩ）とも呼ばれる）は、対応するフィンガ内で、または、レシーバの別のユニットによって計算することができる。ＣＤＭＡレシーバにおいては、ＲＳＳＩは、一般的には、チップ当たりの入ってくるエネルギＥＣ（または、シンボル当たりの入ってくるエネルギＥＳ）と、上記基地局またはセクタからの総受信電力Ｉｏｒ、または、総受信電力ＩＯとの比の尺度である。ＲＳＳＩは、通常、
【数１】
2009510941.tif 000003
【００１８】
で表される、総受信電力スペクトル密度に対するチップ当たりのフィンガのパイロットエネルギの基準化された尺度として表される。一実施例において、ＲＳＳＩは、パイロットチャネル上の受信信号エネルギによって表され、これは、複素受信信号の２乗の大きさとして計算することができる。他の実施例においては、ＲＳＳＩは、トラフィックチャネル等の別のチャネル上の受信信号エネルギによって表すことができる。
【００１９】
ＲＳＳＩを計算するのに用いることのできる他の方法は、２００４年９月９日に公開された「一般化されたフェージングチャネルによる信号推定の方法及び装置（METHOD AND APPARATUS OF SIGNAL ESTIMATION OVER GENERALIZED FADING CHANNEL）」というタイトルの、Ｌｕｏ等の米国特許出願公開第２００４／０１７６０３８号明細書に記載されているようなｄＢ値推定法を含む。信号品質値は、各シンボル、チップまたはサンプルに対して計算され、あるいは、（例えば、あるインターバル中に積算された、または、上記インターバル内のより短い期間中にスポット計算された）いくつかのより大きなインターバルで計算することができる。また、ＲＳＳＩは、例えば、１次無限インパルス応答（infinite-impulse-response；ＩＩＲ）フィルタ等の単純なローパスフィルタを用いてフィルタリングすることができる。
【００２０】
ＲＳＳＩは、合成シンボル推定において、対応するフィンガからのシンボル推定を含むか否かの決定のための基準として用いることができる。この合成決定は、通常、レーキレシーバ内の各作動するフィンガを、対応するロック状態と関連付けることによって実施され、この場合、上記ロック状態の値は、上記ＲＳＳＩに基づいている。上記ロック状態は、一般的には、２つの値であり、そのため、上記フィンガは、「ロックされている状態（in-lock）」かまたは「非ロック状態（out-of-lock）」のいずれかとなる。「ロックされている状態」というロック状態は、一般に、パイロットが首尾よくトラッキングされること、および上記フィンガが信号の有効なインスタンスを受信していることを示す。「非ロック状態」というロック状態は、一般に、上記フィンガが、弱過ぎて信頼できないインスタンスをトラッキングしていることを示し、また、現在、どのインスタンスにも割当てられていないフィンガを示すことも可能である。
【００２１】
上記ロック状態の値は、どのシンボル推定が合成シンボル推定に組み込まれるかを制御するのに用いることができる。例えば、上記ロック状態は、低くいので、不十分なチャネル推定をもたらし、かつ復調パフォーマンスを低下させるであろうパイロット電力を有するフィンガを識別するのに用いることができ、その結果、それらのフィンガの出力は、上記シンボル推定から除外することができる。また、「非ロック状態」というロック状態は、再割当てに対してフィンガを解放する基準として作用することができる。代わりに、割当て制御のために、異なるロック状態変数を各フィンガに対して保持してもよいが、ＲＳＳＩは、この変数のための基準としても用いることができる。
【００２２】
図２は、上限及び下限ロックしきい値の一般的な構成を示す。１つのフィンガに対してロック状態を設定するために、一方または両方のしきい値が、上記フィンガのＲＳＳＩと比較される。上記ＲＳＳＩが上限（または、「ロックされている状態」）しきい値より大きい場合には、上記フィンガのロック状態は、上記ロックされている状態を強いられる。上記ＲＳＳＩが下限（または、「非ロック状態」）しきい値より小さい場合には、上記フィンガのロック状態は、非ロック状態を強いられる。そうでない場合、上記ＲＳＳＩは休止領域に入っており、上記フィンガのロック状態は、変化がない。
【００２３】
このようにして上限及び下限ロックしきい値によって与えられるヒステリシス（hysteresis）は、フェージング環境内において、強力な経路をロックすると共に、フィンガが弱い信号によってロックされることを避けるのに役に立つ。上限及び下限ロックしきい値に対するそれぞれの値の一般的なセットは、（−２０．２ｄＢ，−２８ｄＢ）、（−２０．２ｄＢ，−２７．６ｄＢ）および（−２０．２ｄＢ，−２４．６ｄＢ）を含むが、他の何らかの値または表現を用いてもよい。
【００２４】
特に、ＲＳＳＩがフィルタリングされる構成の場合、デフォルトのＲＳＳＩ値のための上限ロックしきい値に近い値を選択することが好ましい。１つのこのような実施例は、−２１．６ｄＢである。高い初期ＲＳＳＩ値の可能性のある利点は、強力なインスタンスをトラッキングするフィンガがより早くロック状態に入ることを可能にするということである。
【００２５】
フィンガロック状態は、合成推定への対応するフィンガ出力の合成を制御するのに適用することもできる。図３Ａ〜図３Ｄは、ロック状態指示信号と共に用いることのできる制御構造のいくつかの実施例を示す。例えば、ロック状態の指示は、入力信号を通過させるかまたはブロックするゲート信号として用いることができる。図３Ａは、アナログスイッチを含む構成を示しており、この場合、ロック状態指示信号は、入力信号及びゼロ信号のうちの選択された一方を出力するように上記スイッチを制御する。これらの実施例において、上記入力信号は、シンボル推定自体とすることができ、または、チャネル応答推定または他の重み等の、上記シンボル推定に適用すべき値とすることもできる。この方法におけるマルチビット信号の制御は、いくつかの次のようなスイッチをグループにまとめることによって実施することができる。すなわち、１つの入力において、入力信号の異なるビットを受信する各スイッチと、制御入力において、ロック状態指示を受信する全てのスイッチとが使用される。
【００２６】
図３Ｂは、１つのＡＮＤゲートを含む構成を示しており、この場合、ロック状態指示信号は、ディジタル入力信号を出力するように、または、ディジタルロー状態（digital low state）を出力するように上記ゲートを制御する。この方法におけるマルチビット信号の制御は、いくつかの次のようなゲートをグループにまとめることによって実施することができる。すなわち、１つの入力において、上記入力信号の異なるビットを受信する各ゲートと、他の入力において、上記ロック状態指示を受信する全てのゲートが使用される。
【００２７】
ロック状態の指示は、入力信号をマスクするためのマスキング信号としても用いることができる。図３Ｃは、乗算器を含むそのような構成を示す。上述したような、１つ以上のＡＮＤゲートを用いる制御は、乗算器を用いることの一実施例である。
【００２８】
別の構成において、ロック状態の指示は、例えば、バッファ等のストレージ素子へのフィンガ出力値の読出し、および／または書込みを可能にするイネーブル（enable）信号として用いることができる。図３Ｄは、上記ストレージ素子が、イネーブル入力において、ロック状態指示を受信する構成を示す。このような構成においては、本動作の前に、上記ストレージ素子を（例えば、ゼロ状態に）リセットすることが好ましく、この結果、前に格納した値をクリアすることができる。制御されたストレージの一実施形態において、ロック状態は、デスキューバッファへのシンボルの書込みを制御するように実施される。
【００２９】
このような能力を有するレシーバまたはフィンガにおいて、フィンガロック状態は、時間トラッキングまたは周波数補正ループ等の制御ループを有効または無効にするのに用いることができる。例えば、上記ループは、フィンガがロックされており、かつ他の方法によって無効にされている場合に、有効にすることができる。適用された値（例えば、周波数補正値）が、２つ以上のフィンガから得られた値の合成であるループ構成の場合、それぞれのフィンガからの値は、対応するロック状態に基づいて、合成動作（combining  operation）に含めることができ、または、合成動作から除外することができる。
【００３０】
レーキレシーバは、フィンガ再割当てをサポートするために、ロック状態を用いることもできる。例えば、上記レシーバの制御プロセッサは、トリアージ（triage）動作において、非ロック状態のフィンガを識別するように、および新たな割当てに利用できるように、それらのフィンガの割当てを解除するように構成することができる。他の構成においては、異なるロック状態をフィンガ割当てに用いるために計算することができ、この計算は、ＲＳＳＩを、シンボル推定合成に関連して用いられたものとは異なる１つ以上のロックしきい値と比較することを含むことができる。
【００３１】
特定の基地局またはセクタから受信したＣＤＭＡ信号の品質は、ジオメトリ値（geometry value）によって特徴付けることができる。ジオメトリは、ターゲットセルから受信した電力と、総受信電力との関係の尺度である。ＣＤＭＡネットワークにおいて、ジオメトリ尺度は、基地局の場合のＳＮＲ尺度と同じであり、一般的に、他の基地局と比較して、レシーバが、どれくらい上記基地局に近いかを示す。ジオメトリは、Ｉｏｒ／Ｉｏｃで表され、ただし、Ｉｏｒは、上記基地局またはセクタからの総受信電力を示し、Ｉｏは、総受信電力を示し、およびＩｏｃ＝Ｉｏ−Ｉｏｒは、他のソースから受信した電力（干渉）を示す。高ジオメトリ値（例えば、２０ｄＢ）は、基地局に近い位置を表すことができ、一方、低ジオメトリ値（例えば、−３ｄＢ）は、セルの境界に近い位置を表すことができる。
【００３２】
高ジオメトリ状況において、最強のインスタンスは、視線経路（line-of-sight path）を介して受信することができ、強力なマルチパスの受信は、もっとありそうにない。図４は、高ジオメトリ状況における２つの受信インスタンスの相対ＲＳＳＩの実施例を示す。例示の便宜上、付属されたフィンガにおけるインスタンスは、時間が経てば互いに関連してデスキューされるものとして図示されている。この実施例においては、１つの経路（経路１）を介して受信されたインスタンスは、他のどの受信インスタンスよりもかなり高い信号品質尺度を有し、これをトラッキングするフィンガは、図示された全期間にわたってロックされたままである。（経路２を介して受信された）次の最強インスタンスは、低ロックしきい値を超えるのに一時的に十分な強さであるが、このインスタンスをトラッキングするフィンガは、上記全期間にわたって非ロック状態である。
【００３３】
１つの基地局の近くで、かつ他の基地局から離れて配置されたレシーバとは対照的に、セクタの境界におけるレシーバは、異なる基地局からより均等な電力を受信する可能性がある。低ジオメトリ環境は、一般的には、ビルディングまたは他の密閉構造物の内部、またはビル群の谷間におけるカバレッジ（coverage）のフィンガにおいて（例えば、ハンドオフに近いセクタの境界において）観察される。何らかの受信インスタンスとノイズフロアとの間のマージンは、一般的には、このような環境においては低いため、復調結果に積極的に貢献することができ、かつこのノイズを克服することのできるいくつかの有効経路からのエネルギを合成することが好ましい。
【００３４】
図５は、低ジオメトリ状況の実施例を示す。この実施例においては、経路１を介して受信したインスタンスは、これをトラッキングするフィンガがロックされている状態のままでいるために十分な強さを残しているが、その信号品質値は、高ロックしきい値を割り込む。上記フィンガに関して前述したように、経路２を介して受信したインスタンスをトラッキングするフィンガも、図示した期間のほとんどにおいてロックされている状態になっており、そのため、これらのインターバルに対応するこのフィンガからのシンボル推定は、経路１をトラッキングするフィンガからのシンボル推定と合成することができる。
【００３５】
第２の経路からのシンボル推定を合成することの相対的利益は、ジオメトリに伴って大幅に変化する可能性がある。例えば、最強の受信インスタンスが、−３ｄＢのＲＳＳＩを有する場合、そのシンボル推定と、−２３ｄＢのＲＳＳＩを有するインスタンスからの１つを合成すると、−２．９６ｄＢの合成されたＥＣ／ＩＯ、または、単に０．０４ｄＢ以上をもたらすことになる。しかし、最強の受信インスタンスのＲＳＳＩが−２３ｄＢしかない場合には、このシンボル推定を、−２３ｄＢおいて、１つのフィンガからの１つ以上と合成すると、ＥＣ／ＩＯの３ｄＢの増加がもたらされる。
【００３６】
有用な信号をロックされている状態に保つと共に、全体のＳＮＲを損なう可能性のある信号を除外するロックしきい値を選択することが好ましい。例えば、上限及び下限ロックしきい値は、高ジオメトリ状況において、合成出力を低下させる経路を除外する可能性と、低ジオメトリ状況において、信号エネルギを加えることのできる経路を含む可能性との間の所望のバランスに従って選択することができる。これらのしきい値は、実験室での検査および／または実地での検査等の、理論および／または観察に基づいて選択することができる。ロックしきい値のいくつかの実施例は、上述されている。
【００３７】
上述したように、信号の弱い受信インスタンスからのシンボル推定は、信号エネルギよりも多くの雑音を加えることによって、合成推定を劣化させる可能性がある。しかし、いくつかの強力な受信インスタンスからのシンボル推定も、合成推定を劣化させる可能性がある。例えば、強力なインスタンスは、信号エネルギよりも多くの雑音を加えるスプリアス（spurious）信号に起因する場合があり、このような信号に対応するシンボル推定を除外するのが好ましい。有効インスタンスのレベルに伴って変化する干渉等の、上記有効インスタンスに関連するスプリアス信号をトラッキングするフィンガは、上記有効インスタンスが強力な場合、ロックされる状態になる可能性がある。このような信号の１つの実施例は、フィルタ応答のサイドローブ（sidelobe）による受信インスタンスである。
【００３８】
トランスミッタにおいて、ＣＤＭＡ信号は、一般的には、帯域外放射を低減するために、パルス整形フィルタを通過する。また、上記パルス整形フィルタに対する整合フィルタをレシーバに適用することができ、全体の応答は、これら２つのフィルタの応答の畳み込み（convolution）としてモデル化することができる。図６は、時間領域における複合の送信／受信フィルタのインパルス応答を示し、図７は、このフィルタの経時的な大きさ応答を示す。
【００３９】
これらの図を見て分かるように、このフィルタの応答は、経時的なサイドローブを含む。図７は、第１のサイドローブは、主ピークから離れた１．５チップで生じ、メインローブ（mainlobe）より小さい約１４．５ｄＢであり、第２のサイドローブは、主ピークから離れた２．５チップで生じ、上記メインローブの２０ｄＢ以内である。有効受信インスタンスが強力な場合、これらのサイドローブによるスプリアスインスタンスも強い可能性がある。レーキレシーバは、そのようなインスタンスにフィンガを割当てることができ、そのＲＳＳＩは、上記フィンガをロックされる状態にするのに十分な強さである可能性があり、その結果、そのシンボル推定が、合成シンボル推定を劣化させることを可能にする。雑音またはサイドローブをトラッキングしているフィンガをアンロックすることが好ましい。どちらも復調パフォーマンスを劣化させる可能性があるため。
【００４０】
時が経てば、レシーバが、サイドローブをトラッキングするという問題を自己修正することが可能である。例えば、時間トラッキングループは、最終的には、サイドローブをトラッキングするフィンガに、メインローブまでトラッキングさせる可能性があり、その時点で、もしあれば、別の有用な経路に再割当てすることができる。しかし、コンバージェンス、検出及び再割当てのプロセスを完了するのに必要な時間と共に、上記フィンガが有効インスタンスをトラッキングするまでに、いくつかの、または多くのシンボルの遅延が生じる可能性がある。その間に、トラッキングされている上記インスタンスが弱すぎる場合には、呼が落ちる可能性がある。
【００４１】
合成シンボル推定から、サイドローブによる推定を除外するのに、時間ベースのソリューションを用いることができる。このようなソリューションは、最強の経路から約１．５（および／または約２．５）チップ離れている経路へのフィンガの割当てを防ぐこと、または、他の方法で、これらの時間ロケーションにおける経路に対応する推定を、合成シンボル推定への寄与から除外することを含むことができる。時間ベースのソリューションは、例えば、サーチャーにおいて、フィンガ再割当てアルゴリズムを変更することによって実施することができる。しかし、上記サーチャーの時間の解像度は、このような識別を確実にサポートするのには、一般的には不十分である。このような動作は、ある程度乱れる可能性もあり、また、これらの時間ロケーションにおいて生じる実行可能な経路を除外する可能性がある。
【００４２】
サイドローブを排除する他の複雑なソリューションも可能である。レシーバは、例えば、１つ以上のフィルタ、または信号経路内の他の特徴、の測定されたおよび／または推定された周波数応答に従って、受信信号に対する等化（equalizatioｎ）を実行するように構成することができる。しかし、受信信号からサイドローブ応答を取り除くこのような動作は、実行時間、電力消費、デザインの複雑さおよび／またはシステム動作の予測可能性の観点では、実用的ではなくおよび／または好ましくない可能性がある。
【００４３】
サイドローブの問題は、一般的には、高ジオメトリ状況において発生する。図８は、高ジオメトリ状況におけるメインローブ及びそれに対応するサイドローブに起因する受信インスタンスの場合の経時的な信号品質を示す。例示の便宜上、これらのインスタンスは、相互に関連して時間でデスキューされて示されている。高ジオメトリ状況において主経路を介して受信されたインスタンスのＲＳＳＩは、上限ロックしきい値を優に上回っている可能性があるため、第１のまたは第２のサイドローブに対応するトラッキングされたインスタンスのＲＳＳＩもまた、このしきい値を上回る傾向がある。
【００４４】
干渉の源を除去することにより、高ジオメトリ状況におけるサイドローブの排除は、合成シンボル推定のＳＮＲをかなり改善することができる。その結果として、ＵＥは、トラフィックチャネルで送信電力を低減するように、基地局に指示する電力制御メッセージを送信することができる。トラフィックチャネルでのチップ当たりのエネルギと、総送信電力とのより低い比
【数２】
2009510941.tif 000004
【００４５】
をサポートすることにより、サイドローブの排除は、ネットワーク容量を改善するのに役に立つ可能性がある。送信電力を低減することに伴う効果は、高いデータ転送速度は通常、高ジオメトリ状況において送信されるため、高ジオメトリ状況において特に著しい。別の可能性のある効果は、別の有効経路をトラッキングするのにフィンガを利用できるということである。
【００４６】
高ジオメトリ状況及び低ジオメトリ状況の両方において、良好なパフォーマンスを提供することが期待される、フィンガロックしきい値のペアを選択することが好ましい。例えば、これらのロックしきい値は、高ジオメトリ状況におけるサイドローブの排除と、低ジオメトリ状況におけるマルチパスの包含との間の所望のバランスに従って、選択することができる。上記ロックしきい値は、（例えば、時間トラッキングループをロックされている状態に保つための）各フィンガから必要とされるエネルギと、所望の程度のサイドローブ排除との間のトレードオフに従って選択することができる。ロック状態決定動作は、レシーバの制御プロセッサによって実行することができる。例えば、ロック状態決定動作は、マイクロプロセッサによって実行される多数のタスクのうちの１つとして実施することができる。
【００４７】
あいにく、良好なサイドローブ排除を提供する上限ロックしきい値及び下限ロックしきい値のセットは、低ジオメトリ状況において、実行可能な経路の排除も引き起こす可能性があり、その結果、いたずらに落ちる通話トラフィック（traffic call）をもたらす可能性がある。図９は、低ジオメトリ状況における２つの受信インスタンスの実施例を示す。経路１を介して受信したインスタンスのパイロット信号は、図示された期間のほとんどにわたって、依然として復号可能である可能性があるが、ＲＳＳＩは、下限しきい値以下に落ちた後に、上限しきい値と交差しない。そして、フィンガは、非ロック状態のままである。経路２を介して受信したインスタンスは、実際には、この期間のほとんどにおいて強力であるが、そのＲＳＳＩは、上限しきい値を通過するほど強くはなく、その結果、このフィンガは、依然として非ロック状態のままである。図示された期間のほとんどにおいて、どちらのフィンガもロックされている状態ではなく、呼は、いたずらに落ちる可能性がある。
【００４８】
一方の状況に最適なロックしきい値の固定されたセットは、他方の状況における最高のパフォーマンスにとっては不適切である可能性がある。１つの可能性のあるソリューションは、例えば、レシーバにおいて、現在のジオメトリの程度により、ロックしきい値の異なるセット間で切り替えることである。しかし、このようなソリューションは、実施するのに複雑になる可能性があり、および／または予測不可能なシステム動作を招く可能性がある。
【００４９】
ロックしきい値の選択の問題は、受信ダイバーシティ用に構成されているシステムにおいては、より複雑になる可能性がある。受信ダイバーシティシステムは、異なるアンテナを介して受信された信号に基づいている合成シンボル推定を生成する。
【００５０】
受信ダイバーシティ能力を有するレシーバは、各々がそれ自体のアンテナを有する２つ以上の無線周波（ｒａｄｉｏ−ｆｒｅｑｕｅｎｃｙ；ＲＦ）受信チェーンを有する。このようなレシーバは、後に合成される、異なるアンテナからの多数のシンボル推定を生成する。各受信チェーンからのベースバンドディジタル信号を処理するフィンガは、複数のフィンガからなる共通プールから引き出すことができ、または、各受信チェーンは、複数のフィンガからなる専用セットを供給することができる。同様に、フィンガの割当ては、共通の制御ユニットによって実行することができ、または、各受信チェーンのためのフィンガ割当ては、例えば、それぞれのサーチャーによって独立して処理することができる。
【００５１】
受信ダイバーシティシステムの各受信チェーンに割当てられたフィンガからのシンボル推定は、別々に合成することができ、各受信チェーンからの複合推定（composite estimate）は全体的なシンボル推定に合成される。代わりに、コンバイナは、２つ以上の受信チェーンに割当てられたフィンガから直接、推定を受取ってもよい。例えば、１つのコンバイナは、全てのフィンガから直接、推定を受取ることができる。
【００５２】
受信ダイバーシティ用途において、２つ以上のアンテナは、同じ経路を通じてインスタンスを受信することができ、および信号強度は、上記同じ経路上の各アンテナに対して別々に測定することができる。このような構成の潜在的な利点は、低ＳＮＲにおける動作のためのサポートである。２アンテナ受信ダイバーシティシステムにおいては、例えば、３ｄＢより低いＳＮＲで作動することが可能である。この利点を利用するためには、各経路に対して合算合計を低下させることなく、弱い経路において、より多くのエネルギを得るように、各経路のためのロックしきい値を３ｄＢだけ低減することが望ましい。
【００５３】
あいにく、受信インスタンスに必要なエネルギのレベルは、受信ダイバーシティシステムにおいては、低くなる可能性があり、別のアンテナの追加は、メインローブとサイドローブの強度の関係を変えない。従って、ロックしきい値を低くして、受信ダイバーシティを活用することは、より強い経路のサイドローブがトラッキングされる可能性が増加するため、サイドローブ排除の問題をより悪化させる傾向がある。受信ダイバーシティシステムにおいては、サイドローブ排除と信号包含のバランスをとることが、より困難になる可能性がある。
【００５４】
図１０は、一実施形態による方法Ｍ１００のフローチャートを示す。方法Ｍ１００は、送信信号のｎ個の受信インスタンスに関連する動作を含み、ただし、ｎは、２以上の値を有し、一般的には、４、６、８、１２または１６である。受信インスタンスの各々に対して、タスクＴ１１０の対応するインスタンスは、上記送信信号によって伝送されたシンボルの複素値推定を得て、また、タスクＴ１２０の対応するインスタンスは、上記受信インスタンスのための信号品質値を得る。図１０の実施例においては、タスクＴ１１０ａ及びＴ１２０ａは、ある信号の１つの受信インスタンスから計算された値を得て、また、タスクＴ１１０ｂ及びＴ１２０ｂは、上記信号の別の受信インスタンスから計算された値を得る。
【００５５】
上記受信インスタンスの各々に対して、方法Ｍ１００は、対応する送信チャネルの応答の推定を得るタスクＴ１７０の、対応するインスタンスを実行するように構成することもできる。受信インスタンスのパイロットチャネルに基づくことができる推定されたチャネル応答は、上記インスタンスが受信される経路によって引き起こされる回転及びスケーリングを表す複素数値である。
【００５６】
図１１は、方法Ｍ１００の構成Ｍ１１０のフローチャートを示し、タスクＴ１２０の各インスタンスにおいて得られた信号品質値は、タスクＴ１７０の対応するインスタンスで得られた推定チャネル応答に基づいている。例えば、タスクＴ１２０は、この推定チャネル応答に基づいて、エネルギ計算を実行するように構成することができる。
【００５７】
信号品質値のうちの少なくとも１つに基づいて、タスクＴ１４０は、ロックしきい値を計算する。例えば、タスクＴ１４０は、信号品質値のうちの最大値に基づいて、ロックしきい値を計算するように構成することができる。図１２Ａは、タスクＴ１３０を含む、方法Ｍ１００の構成Ｍ１２０のフローチャートを示す。この構成において、タスクＴ１３０は、信号品質値のうちの最大値を決定し、タスクＴ１４０は、この最大値に関連するロックしきい値を計算する。一実施例において、信号品質値及びロックしきい値は、デシベル（ｄＢ）の単位で表される。
【００５８】
タスクＴ１４０は、
【数３】
2009510941.tif 000005
【００５９】
のような式に従って、最大信号品質値に関連するロックしきい値Ｔを計算するように構成することができ、ただし、Ｆは、フィンガのセットを示し、Ｇは、１（unity）未満の利得係数を示し、Ｌは、ｄＢで表すことのできるオフセット値を示す。Ｇおよび／またはＬの値は、サイドローブの分布の統計等の、上記システムの１つ以上の既知のまたは推定した特性に基づいて選択または決定することができる。例えば、Ｇおよび／またはＬの値は、信号経路内の特定の１つまたは複数のフィルタの応答において、メインローブとサイドローブとの間の大きさの差に基づいて選択または決定することができる。一実施例において、係数Ｇは、０．１という値を有する。
【００６０】
タスクＴ１４０は、最大信号品質値または上記最大信号品質値の一部によってインデックスが付けられたリストまたはテーブルから、相対ロックしきい値のための値を選択するように構成することができる。また、タスクＴ１４０は、使用可能なフィンガの数、受信されるパイロット、トラフィックおよび／または他のチャネルの数、および／またはノイズフロアのレベル等の追加的な係数に基づいて、上記しきい値を計算し、または選択することもできる。より多くのフィンガが使用可能である場合、上記しきい値は、より低く設定することができる。より多くのチャネルを受信すべき場合、上記しきい値は、他のチャネル上の強力なインスタンスをトラッキングする複数のフィンガを使用できるように、上げることができる。ノイズレベルが上昇した場合、しきい値は、それに応じて上げることができる。このような実施例において、しきい値計算を変更することは、Ｇおよび／またはＬの値を変えることを含むことができる。
【００６１】
受信インスタンスのうちの少なくとも１つに対して、方法Ｍ１００は、対応する信号品質値と相対的なロックしきい値との間の関係に基づいて、対応するフィンガのロック状態を決定するタスクＴ１５０のそれぞれのインスタンスを含む。タスクＴ１５０は、上記インスタンスのための信号品質値（または、信号品質値に基づく値）を、相対ロックしきい値と比較するように構成することができる。例えば、タスクＴ１５０は、「ロックされている状態」というロック状態を、対応する信号品質値が上記ロックしきい値以上であるフィンガに割当てるように、かつ「非ロック状態」というロック状態を他に割当てるように構成することができる。
【００６２】
方法Ｍ１００は、各受信インスタンスに対してタスクＴ１５０のインスタンスを含むように実施することができる。図１２Ｂは、方法Ｍ１００のこのような１つの構成Ｍ１３０のフローチャートを示す。代わりに、方法Ｍ１００は、最大信号品質値を有するものを除いて、各受信インスタンスに対して、タスクＴ１５０のインスタンスを実行するように実施してもよい。このような場合、最大信号品質値に対応するフィンガには、「ロックされている状態」というロック状態を割当てることができる。
【００６３】
複素値シンボル推定及びフィンガロック状態に基づいて、タスクＴ１６０は、シンボル推定のうちの少なくともいくつかをコヒーレント（coherently）に合成して、複素値合成シンボル推定を得る。タスクＴ１６０は、この合成シンボル推定に各シンボル推定を含むように、または、対応するロック状態により、上記シンボル推定を除外するように構成することができる。いくつかの実施においては、タスクＴ１６０は、対応するロック状態に関係なく、最大信号品質値を有するフィンガからのシンボル推定を含むように構成される。また、タスクＴ１６０は、他のシンボル推定を、最大信号品質値に対応する推定に付加することにより、これらの推定を合成するように構成することができる。
【００６４】
また、方法Ｍ１００は、対応する推定チャネル応答に基づいて、シンボル推定の位相を変更するように構成することもできる。このようないくつかの構成において、方法Ｍ１００は、推定されたチャネル応答をシンボル推定に適用して、スケーリングおよび／または位相回転等の各送信チャネルの作用を補正するように構成される。例えば、方法Ｍ１００は、各インスタンスのシンボル推定に、対応する推定チャネル応答の複素共役（complex conjugate）を乗じるように適用することができる。別の実施例においては、方法Ｍ１００は、シンボル推定と推定チャネル応答との点乗積（dot product） およびクロス乗積（cross  product）を実行することによって、上記シンボル推定をコヒーレントに復調するように構成される。このような動作は、タスクＴ１６０において、シンボル推定が合成される前に実行することができ、また、上記動作は、全てのインスタンスに対して、または代わりに、「ロックされている状態」という対応するロック状態を伴うインスタンスに対してのみ実行してもよい。
【００６５】
タスクＴ１６０がシンボル推定を合成する前に、これらのシンボル推定を相互に関連してデスキューすることが好ましい。このデスキューは、例えば、２００５年５月３日に発行された「通信システム内での信号合成（SIGNAL COMBINING WITHIN A COMMUNICATION SYSTEM）」というタイトルのＰｒｙｓｂｙ等の米国特許第６，８８８，８７８号明細書の図７およびカラム６で記載されているようなシンボル解像度またはチップ解像度で、これらの推定に対して実行することができる。
【００６６】
ロックされている状態のフィンガに対応するシンボル推定をコヒーレントに合成する際、タスクＴ１６０は、これらの推定を等しく重み付けるように構成することができる。このような動作は、等利得合成（equal-gain combining）と呼ばれている。代わりに、タスクＴ１６０は、様々なシンボル推定に対して異なる重み付けを適用するように構成することができる。例えば、タスクＴ１６０は、それぞれのインスタンスのパイロット電力またはＳＮＲに基づいている重み付けを適用するように構成することができる。合成された出力のＳＮＲを最大化するように重み付けを適用する合成動作は、最大比合成（maximal-ratio combining）と呼ばれている。一実施例において、タスクＴ１６０は、少なくとも結合すべきシンボル推定の各々に、それぞれのＲＳＳＩに基づく重み付けを適用するように構成されている。（しきい値以下の大きさを有するもの等の）一部のシンボル推定を合成推定から除外することが望ましい。追加的な実施例においては、方法Ｍ１００の構成における別のタスクは、それぞれの重み付けを、シンボル推定の各々に適用するように構成されている。代わりに、このようなタスクは、それぞれの重み付けを、上記合成推定に含まれることになるシンボル推定にのみ適用するように構成することができる。
【００６７】
図１３は、図８に示す高ジオメトリシナリオに対する方法Ｍ１００の適用を示し、メインローブ信号及びサイドローブ信号は、ここでもまた、デスキューされている。この場合、ロックしきい値は、メインローブインスタンスの強度に伴って変化する。関連するサイドローブにより上記インスタンスをトラッキングするフィンガは、上記インスタンスが、いくつかのインターバルの間に強力であっても、確実に非ロック状態に保たれる。
【００６８】
図１４は、図９に示す低ジオメトリシナリオに対する方法Ｍ１００の適用を示す。この場合、ロックしきい値は、そのアイデンティティが図示した期間に変化する最強のインスタンスのＲＳＳＩに関連する。上記最強のインスタンスをトラッキングするフィンガは、ロックされている状態のままであり、この期間のほとんどの間、両インスタンスをトラッキングするフィンガは、ロックされている状態になっている。
【００６９】
方法Ｍ１００は、例えば、高速フェージング環境において、高速応答を可能にするように実施することができる。デュアルロックしきい値を用いる現在の方法においては、フィンガの現在のロック状態は、過去のロック状態によって、部分的に制限される。方法Ｍ１００の１つの可能性のある利点は、シンボルごとに、相対ロックしきい値を更新するように構成することができるということである。例えば、このような構成は、現在、受信している最強インスタンスに従って、上記相対ロックしきい値を変化させることができる。図１５は、最強経路のアイデンティティが、図示の期間中に、頻繁に変化する場合の相対ロックしきい値の実施例を示す。受信ダイバーシティシステムにおける方法Ｍ１００の適用は、フェージング環境において、パフォーマンスを著しく改善することができる。
【００７０】
また、相対しきい値に対して下限を与えるようにタスクＴ１４０を実施することが好ましく、その結果、ノイズフロアに近すぎるインスタンスを、最強インスタンスの強度に関係なく排除することができる。例えば、タスクＴ１４０は、次のような式に従って、相対しきい値を計算するように構成することができる。
【数４】
2009510941.tif 000006
【００７１】
ただし、Ｂは下限を示す。この場合、タスクＴ１４０は、Ｂ＝ｇ×ＮＦまたはＢ＝ＮＦ＋ｌ等の式に従って、Ｂに対する値を計算することができ、ＮＦは、測定および／または予測されるノイズフロアを示し、ｇは、１以上の利得係数を示し、ｌは、ｄＢで表すことのできる、０以上のオフセット値を示す。
【００７２】
別の場合においては、相対しきい値は、上限ロックしきい値として実施され、タスクＴ１５０はさらに、下限ロックしきい値を適用するように構成される。上記下限ロックしきい値は、固定されている値を有することができ、または、相対上限ロックしきい値および／またはノイズフロアに関連した可変の値を有することができる。例えば、上記下限ロックしきい値は、異なる周波数帯域におけるノイズフロアに従って、調節することができる。
【００７３】
方法Ｍ１００の追加的な構成において、タスクＴ１５０で決定されるようなフィンガロック状態に関する情報は、サーチャー、割当てアルゴリズム、または、このようなアルゴリズムを実行する制御プロセッサに対して利用可能である。例えば、このような情報は、比較的強力な信号品質値を有していても、サイドローブによるインスタンスを再割当てから除外するエレメントによって適用することができる。例えば、割当ての決定は、インスタンスをトラッキングするフィンガが、ある予め定められた期間、非ロック状態のままであるという観測に基づくことができる。別の構成においては、サーチャーまたは制御プロセッサは、信号品質値の中の最大値に関連したしきい値を計算するように、および上記相対しきい値に従って、フィンガを様々な受信インスタンスに割当てるように構成される。
【００７４】
実施形態は、複数のフィンガからなるセットを有するレシーバを含み、上記セット内の各フィンガは、送信信号の複素数値表現でコヒーレントな復調を実行するように構成されている。図１６は、このような実施形態によるレシーバＲ１００のブロック図を示す。ｎ個のフィンガ１００からなるセットは、複素信号（complex signal）Ｓ１０を受信するように、および上記送信信号によって伝送されたシンボルの対応する推定Ｓ７０を出力するように構成されている。例えば、各フィンガ１００は、本明細書に記載したようなタスクＴ１１０及びＴ１２０の構成を実行するように構成することができる。ある場合においては、各フィンガ１００は、本明細書に記載したようなタスクＴ１７０の構成を実行するように構成することもできる。フィンガのエレメントは、ソフトウェア、ファームウェアおよび／またはハードウェア内で実施することができる。
【００７５】
サーチャー３００は、信号Ｓ１０のピーク時のロケーションを検知し、ピークの１つに従って、フィンガの一部または全ての各々にインスタンスを割当てる。例えば、サーチャー３００は、これらのエネルギ値に従って、信号Ｓ１０のピークを検知するように構成することができる。
【００７６】
ロック状態計算器２００は、各フィンガから信号品質値Ｓ４０を受取るように、および対応するロック状態指示Ｓ５０を出力するように構成されている。例えば、ロック状態計算器２００は、本明細書に記載されているタスクＴ１４０及びＴ１５０の構成を、および場合により、本明細書に記載されているタスクＴ１３０の構成を実行するように構成することができる。コンバイナ４００は、シンボル推定Ｓ７０を、送信信号によって伝送されたシンボルの複素数値合成推定Ｓ９０にコヒーレントに合成するように構成されている。例えば、コンバイナ４００は、本明細書に記載されているタスクＴ１６０の構成を実行するように構成されている。
【００７７】
図１７は、レシーバＲ１００の構成において用いることのできるフィンガ１００の構成１０２のブロック図を示す。デカバーリングエレメント（decovering element）１１０は、受信インスタンスから１つ以上のカバーリング符号（covering code）を除去するように、および信号Ｓ１０に基づいているチャネル推定Ｓ２０及びトラフィックシンボル推定Ｓ６０を出力するように構成されている。信号品質計算器１２０は、チャネル推定Ｓ２０に基づく信号品質値を出力するように構成されている。共役計算器（conjugate calculator）１３０は、チャネル推定Ｓ２０の複素共役Ｓ２０ａを計算するように構成されている。例えば、共役計算器１３０は、チャネル推定Ｓ２０の直角成分（quadrature component）のサインを反転させるように構成することができる。乗算器１４０は、共役Ｓ２０ａ、トラフィックシンボル推定Ｓ６０及びロック状態指示Ｓ５０に基づいてシンボル推定Ｓ７０を出力するように構成されている。
【００７８】
図１８Ａはデカバーリングエレメント１１０の構成１１２のブロック図を示す。逆拡散器（despreader）Ｄ１００は、オフセット信号Ｓ３０に従って、逆拡散符号を複素信号Ｓ１０に適用するように構成されている。逆拡散符号は、一般的には、ストレージから検索することのできる、および／またはアルゴリズムに従って計算することのできる、２値の擬似雑音（pseudonoise；ＰＮ）シーケンスである。サーチャー３００等のサーチャーから受取ることのできるオフセット信号Ｓ３０は、チップにおけるまたはチップの一部における逆拡散符号のオフセットとして表すことのできる、対応するインスタンスの相対時間遅延を示す。いくつかの構成において、オフセット信号Ｓ３０は、適切なオフセットを伴う逆拡散符号を含む。代わりに、逆拡散器Ｄ１００は、オフセット信号Ｓ３０に従って、ストレージから上記逆拡散符号を計算および／または検索してもよい。
【００７９】
逆拡散器Ｄ１００は、複素逆拡散符号（complex despreading code）を複素信号Ｓ１０に適用するように構成された複素乗算器（complex multiplier）を含むことができる。他の用途においては、逆拡散器Ｄ１００は、それぞれの実逆拡散符号を別々に、複素信号Ｓ１０の同相成分（in-phase component）及び直角成分の各々に適用するように構成された２つの実乗算器を含むことができる。いくつかのケースにおいては、逆拡散器Ｄ１００によって適用された逆拡散符号は、２つ以上のＰＮシーケンスを含むことができる。例えば、この逆拡散符号は、短いＰＮ拡散符号と、ＵＥに割当てられたシーケンス等の長いＰＮスクランブルシーケンスとを含むことができる。代わりに、逆拡散器Ｄ１００は、２つ以上のＰＮシーケンスの各々を逐次適用するように構成することができる。
【００８０】
逆拡散信号は、一般的には、パイロットチャネルと、少なくとも１つのトラフィックチャネルと、場合により、１つ以上の制御チャネルとを伝える。デカバーリングエレメント１１２は、上記逆拡散信号に基づいて、パイロットシンボルのストリームを出力するように構成されたパイロットデチャネライザ（pilot dechannelizer）Ｄ１１０を含む。例えば、パイロットデチャネライザＤ１１０は、直交可変拡散率（Orthogonal Variable Spreading Factor；ＯＶＳＦ）符号またはウォルシュ符号等のチャネライゼーションコード（channelization code）を、逆拡散信号に適用するように構成することができる。このような場合に、パイロットデチャネライザＤ１１０は、１つの複素乗算器、または実乗算器からなるペアを用いて、このコードを適用するように実施することができる。一般的な用途において、パイロットチャネライゼーションコードは、ＯＶＳＦ符号ゼロまたはウォルシュ符号ゼロである。
【００８１】
また、パイロットデチャネライザＤ１１０は、デチャネライズド信号（dechannelized signal）の連続サンプルを合計して、複数のシンボルのシーケンスである推定チャネル応答Ｓ２０の構成Ｓ２２を生成するように構成することができる。例えば、パイロットデチャネライザＤ１１０は、シンボル期間ごとに一旦、閉じるスイッチが追随する加算器を含むように構成することができる。このような場合において、１つのシンボルに合計されるサンプルの数は、一般的には、ｃｈｉｐｘ１、ｃｈｉｐｘ２、ｃｈｉｐｘ４またはｃｈｉｐｘ８またはそれ以上の値を有するサンプリングレートと、一般的には、６４、１２８または２５６という値を有する、シンボル当たりのチップの数とに依存する。また、パイロットチャネルは、トラフィックチャネルまたは制御チャネルに時間で直交（orthogonal）してもよく、その結果、パイロットシンボルは、同じチャネル上の非パイロットシンボルとインタリーブされる。代わりに、パイロットチャネルは、両コード及び時間において、１つ以上の他のチャネルに直交してもよい。
【００８２】
トラフィックデチャネライザＤ１２０は、逆拡散信号に基づいて、トラフィックシンボルのストリームを出力するように構成されている。例えば、トラフィックデチャネライザＤ１２０は、直交可変拡散率（ＯＶＳＦ）符号またはウォルシュ符号等のチャネライゼーションコードを、上記逆拡散信号に適用するように構成することができる。このような場合、トラフィックデチャネライザＤ１２０は、複素乗算器または実乗算器のペアを用いてこの符号を適用するように実施することができる。
【００８３】
また、トラフィックデチャネライザＤ１２０は、デチャネライズド信号の連続サンプルを合計して、複数のシンボルのシーケンスであるトラフィックシンボル推定Ｓ６０の構成Ｓ６２を生成するように構成することもできる。例えば、トラフィックデチャネライザＤ１２０は、シンボル期間ごとに一旦、閉じるスイッチが追随する加算器を含むように構成することができる。このような場合、１つのシンボルに合計されるサンプルの数は、一般的には、ｃｈｉｐｘ１、ｃｈｉｐｘ２、ｃｈｉｐｘ４またはｃｈｉｐｘ８またはそれ以上の値を有するサンプリングレートと、一般的には、６４、１２８または２５６という値を有する、シンボル当たりのチップの数とに依存する。一般的なＣＤＭＡシステムにおいては、チップレート（ｃｈｉｐｘ１）は、１．２２８８ＭＨｚである。
【００８４】
パイロットシンボルのシーケンスは、フィルタリングすることが好ましい。例えば、このシーケンスに対して、時間平均化（time-averaging）動作および／またはローパスフィルタリング（low-pass filtering）動作を実行することが好ましい。また、予測される平均フェードインターバルよりも大きい期間を有するフィルタリング動作を適用することが好ましい。
【００８５】
図１８Ｂは、パイロットフィルタＤ１３０を含むデカバーリングエレメント１１０の構成１１４のブロック図を示す。推定チャネル応答Ｓ２０の構成Ｓ２４を生成するフィルタＤ１３０は、１次ＩＩＲとして構成することができる。例えば、パイロットフィルタＤ１３０は、例えば、
ｚ（ｉ）＝ｆＰ（ｉ）＋（１−ｆ）ｚ（ｉ−１）＝ｆＰ（ｉ）＋ｚ（ｉ−１）−ｆｚ（ｉ−１）
という式に従って、パイロットシンボルのシーケンスＰをフィルタリングするように構成することができ、ただし、ｚは、フィルタ出力を表し、ｆは、タップウェイト（tap weight）を表し、ｉは、時間インデックスを表す。タップウェイトｆは、２の負の整数乗となるように選定することが望ましく、このため、ｆを掛ける乗算は、バイナリシフトとして有効に実施することができる。推定チャネル応答及びトラフィックシンボルを時間で調整して保つために、デカバーリングエレメント１１４は、パイロットフィルタＤ１３０の特有の遅延に従って遅延するトラフィックシンボル推定Ｓ６０の構成Ｓ６４を生成する遅延Ｄ１４０を含むことができる。
【００８６】
図１９Ａは、信号品質値Ｓ４０の構成Ｓ４２を、チャネル推定Ｓ２０のフィルタリングされた大きさの２乗として生成する信号品質計算器１２０の構成１２２のブロック図を示す。信号品質計算器１２２は、式Ｅ（ｉ）＝［Ｐｉ（ｉ）］２＋［Ｐｑ（ｉ）］２に従って、エネルギ信号Ｅを計算するエネルギ計算器１６０を含み、ただし、Ｐｉ及びＰｑはそれぞれ、チャネル推定Ｓ２０の同相成分及び直交成分を表し、ｉは、時間インデックスを表す。
【００８７】
また、信号品質計算器１２２は、時間平均化動作および／またはローパスフィルタリング動作をエネルギ信号Ｅに対して実行し、および１次無限インパルス応答（ＩＩＲ）フィルタとして実施することのできるフィルタ１７０も含む。例えば、フィルタ１７０は、式
ｙ（ｉ）＝ｇＥ（ｉ）＋（１−ｇ）ｙ（ｉ−１）
に従って、エネルギ信号Ｅをフィルタリングして、信号品質値Ｓ４２を生成するように構成することができ、ただし、ｙは、フィルタ出力を表し、ｉは時間インデックスを表す。６４個のチップのシンボル長に対してのタップウェイトｇの一般的な値は、１／１２８（または、２−７）であり、１／１２８による乗算は７ビットのバイナリ右シフトとして実施することができる。２５６個のチップのシンボル長に対してのタップウェイトｇの一般的な値は、１／３２（または、２−５）であり、１／３２による乗算は５ビットのバイナリ右シフトとして実施することができる。
【００８８】
推定チャネル応答Ｓ２０は、送信チャネルによって引き起こされる回転及びスケーリングを特徴づける複素数になる。乗算器１４０は、共役Ｓ２０ａ、トラフィックシンボル推定Ｓ６０及びロック状態指示Ｓ５０に基づいてシンボル推定Ｓ７０を出力するように構成されている。例えば、乗算器１４０は、ディジタル乗算器、図３Ａによる連動スイッチ、または、２値のロック状態指示Ｓ５０を共役Ｓ２０ａまたはトラフィックシンボル推定Ｓ６０に適用する、図３Ｂによる連動ＡＮＤゲートを含むことができる。このような場合、乗算器１４０は、その結果を他の共役Ｓ２０ａ及びトラフィックシンボル推定Ｓ６０に適用するように構成されたディジタル乗算器も含むことができる。
【００８９】
代わりに、乗算器１４０は、このようなディジタル乗算器、スイッチ、または、２値のロック状態指示Ｓ５０を、共役Ｓ２０ａとトラフィックシンボル推定Ｓ６０の積に適用するゲート構造のうちの１つを含んでもよい。このような場合、乗算器１４０は、共役Ｓ２０ａとトラフィックシンボル推定Ｓ６０の積を計算するように構成されたディジタル乗算器も含んでもよい。他の構成においては、ロック状態指示Ｓ５０は、トラフィックシンボル推定Ｓ６０をコヒーレントに復調した結果に適用することができ、この場合、この復調結果は、トラフィックシンボル推定Ｓ６０とチャネル推定Ｓ２０の点乗積およびクロス乗積を実行することによって得られる。
【００９０】
コンバイナ４００は、対応するフィンガのそれぞれのロック状態により、合成シンボル推定Ｓ９０を、２つ以上のシンボル推定Ｓ７０の合計として計算するように構成されている。また、コンバイナ４００は、本明細書に記載されている重み付けを、合成すべきシンボル推定Ｓ７０の各々に適用するように構成することができる。いくつかの構成においては、シンボル推定Ｓ７０および／または合成シンボル推定Ｓ９０の１つ以上の下位ビットは、ビット操作要件を低減するために、ビットトランケータ（bit truncator）（図示せず）によって切り捨ててもよい。レシーバＲ１００は、ロック状態指示Ｓ５０が、図３Ｄのストレージの実施例の場合と同様に、コンバイナ４００の対応するバッファへの、それぞれのシンボル推定の格納を制御するように適用されるように実施することもできる。
【００９１】
コンバイナ４００は、様々なシンボル推定Ｓ７０が合計される前に、これらのシンボル推定を調整するためのデスキュー動作を実行するように構成することができる。例えば、コンバイナ４００は、対応する時間のオフセットおよび／または符号位相空間（code phase space）に従って、合成すべきこれらのシンボル推定の各々が書き込まれるデスキューバッファを含むことができる。代わりに、フィンガ１００の各々は、シンボル推定Ｓ７０がコンバイナ４００へ供給される前に、これらのシンボル推定を調整するためのデスキューバッファを含むことができる。このようなデスキュー構成の実施例は、２００４年５月１１日に発行された「信号をデスキューバッファリングするシステム及び方法（SYSTEM AND METHOD OF DESKEW BUFFERING SIGNALS）というタイトルのＫａｎｇの米国特許第６，７３５，２４０号明細書で論じられている。適用できる別のデスキュー動作は、ＰＮシフト及び時間遅延の両方を活用し、２００４年９月２３日に公開されたＬｕｎｄｂｙの「ＣＤＭＡ通信システムにおけるマルチパス復調のための方法及び装置（METHOD AND APPARATUS FOR MULTIPATH DEMODULATION IN A CODE DIVISION MULTIPLE ACCESS COMMUNICATION SYSTEM）」というタイトルの米国特許出願公開第２００４／０１８４５１３号明細書に記載されている。
【００９２】
図２０は、ｎが値４を持つ実施例におけるロック状態計算器２００の構成２０２のブロック図を示す。最大値フィルタ２１０は、複数のフィンガによって得られた信号品質値Ｓ４０ａ〜Ｓ４０ｄのうちの最大値を決定するように構成されている。図１９Ｂは、４つの入力のうちの最大値を計算するように構成された３つの比較及び選択回路を含む最大値フィルタ２１０の構成２１２のブロック図を示す。
【００９３】
しきい値計算器２２０は、フィルタ２１０によって生成される最大値に関連するしきい値Ｓ８０を計算するように構成されている。しきい値計算器２２０は、最大値からデルタ値を減じる加算器として実施することができる。一実施例において、デルタ値は１０ｄＢであるが、他のどのような値を用いてもよい。しきい値計算器２２０は、１未満の係数等の利得係数を最大値に適用する乗算器として実施することができる。一実施例において、利得係数は０．１であるが、他のどのような値を用いてもよい。乗算器の場合、しきい値計算器２２０は、シフタ（shifter）として実施することができる。例えば、２値の整数値に対して、３ビットの右シフトを適用することは、値を８で割るのに有効な方法である。少なくともいくつかの構成においては、しきい値Ｓ８０の新たな値および／または信号品質値Ｓ４０の各々は、各シンボル期間に計算することができる。
【００９４】
しきい値計算器２２０に適用されるデルタ値または乗算器は、固定された値または可変の値とすることができる。このような値は、例えば、パルス整形フィルタ（pulse-shaping  filter）等のフィルタの応答に従って、および／またはサイドローブ強度等の信号パラメータに従って計算または選択することができる。追加的な構成においては、しきい値計算器２２０は、最大値からデルタ値を減算し、次に、その結果に利得係数を適用することにより、または、利得係数を最大値に適用し、次に、その結果からデルタ値を減算することによって、しきい値Ｓ８０を計算するように構成されている。
【００９５】
また、しきい値計算器２２０は、本明細書に記載されているように、しきい値Ｓ８０に下限を与えるように構成することもできる。追加的な構成においては、相対ロックしきい値Ｓ８０は、上限ロックしきい値として用いられ、しきい値計算器２２０は、本明細書に記載されているように、下限ロックしきい値を計算するように構成されている。
【００９６】
ｎ個の信号品質値の少なくともいくつかに対して、比較器（comparator）２３０は、対応する信号品質値Ｓ４０としきい値Ｓ８０の関係に基づく値を有するロック状態指示Ｓ５０を出力するように構成されている。例えば、比較器２３０は、ＲＳＳＩがしきい値Ｓ８０に少なくとも等しく、かつ、さもなければゼロの値である場合、１の値を有するロック状態指示Ｓ５０を出力するように構成することができる。図示の構成においては、比較器２３０は、ｎ個の比較器２３０ａ〜２３０ｄからなるセットとして実施され、各比較器は、ＲＳＳＩのうちのそれぞれの１つをしきい値Ｓ８０と比較するように構成されている。この構成の場合、ｎ個のＲＳＳＩの各々に対して比較を実行することが望ましいが、最大のＲＳＳＩに対する比較は、厳密には必要ではなく、比較器２３０、または、ロック状態計算器２２０の別のエレメントは、「ロックされている状態」というロック状態を対応するフィンガに割当てるように構成することができる。
【００９７】
比較器２３０は、しきい値を、信号品質値から得られる、または、さもなければ信号品質値に基づいて得られる値と比較するように実施することができる。例えば、比較器２３０は、しきい値Ｓ８０を、ビットワイズ（bitwise）に切り捨てられている信号品質値と比較するように構成することができる。並列な構成が図示されているが、比較器２３０は、直列式に実施することもでき、少なくとも１つの比較器２３０は、シンボル期間中に、２つ以上の信号品質値Ｓ４０をしきい値Ｓ８０と比較するように構成されている。追加的な構成においては、比較器２３０は、しきい値Ｓ８０を上限ロックしきい値として適用し、および、しきい値計算器２２０によって計算された別のしきい値を下限ロックしきい値として適用するように構成される。
【００９８】
図２１は、別の実施形態によるレシーバＲ２００のブロック図を示し、この場合、信号品質値としきい値Ｓ８０の比較は、フィンガ内で実行される。他の点では、レシーバＲ２００は、本明細書に記載されているレシーバＲ１００の特徴を有する。図２２は、比較器２３２を含むフィンガ１５０の構成１５２のブロック図を示す。
【００９９】
本明細書に記載した原理の追加的な適用においては、電力制御ループで用いられるロックしきい値のために、ある値が計算される。例えば、フィンガの電力制御ビットが、合成された電力制御ビット値に含まれるべきか否かの決定は、しきい値と、上記フィンガの信号品質値との関係に基づくことができ、この場合、その合成された値は、ＢＴＳの送信電力を調整するのに用いられ、また、上記しきい値は、上記フィンガの信号品質値のうちの最大値に基づいている。
【０１００】
他の構成においては、フィンガは、少なくとも２つの異なるロック状態を有し、そのため、上記フィンガが、別のインスタンスに再割り当てされるか否かの決定は、上記フィンガに対応するシンボル推定が合成シンボル推定に含まれることになるか否かの決断よりも、異なるロック状態に基づいている。このような場合、各ロック状態の値は、対応するしきい値と、上記フィンガの信号品質値の関係に基づくことができ、この場合、一方または両方のしきい値は、上記フィンガの信号品質値のうちの最大値に基づいている。
【０１０１】
いくつかの構成においては、ＵＥの動作モードに依存している最大信号品質値に基づいて、しきい値Ｓ８０を計算するために、異なる数式（formula）が用いられる。例えば、異なる数式は、上記ＵＥが、ページングチャネル（paging channel）をモニタしているか、または、トラフィックチャネル上のアクティブな通信に関与しているかに依存して用いることができる。同様に、異なる数式は、上記ＵＥが、ソフトハンドオフ状態であるか、またはハードハンドオフ状態であるか、あるいは、ハンドオフ状態ではないかに依存して用いることができる。一実施形態によるレシーバを有する機器は、（ＲＦ回路等の）上記機器の回路の電源を切るように構成されたフェードタイマ（fade timer）を含んでもよく、この場合、上記フェードタイマは、ある遅延期間中（例えば、５秒間）に、ロックされている状態になっているフィンガがない場合にトリガされる。
【０１０２】
本明細書に記載されている原理が適用される他のフィンガ、および／またはレシーバの構成は、Ｌｕｎｄｂｙの米国特許公開第２００４／０１８４５１３号明細書、１９９８年５月１９日に発行されたＥｖｅｒｈａｒｄｔ等の「無線受信機におけるフィンガロック状態を決定する通信デバイス及び方法（COMMUNICATION DEVICE AND METHODS FOR DETERMINING FINGER LOCK STATUS IN A RADIO RECEIVER）」というタイトルの米国特許第５，７５４，５８３号明細書、および１９９８年６月９日に発行されたＥａｓｔｏｎの「スペクトル拡散多重アクセス通信システムのためのモバイル復調器アーキテクチャ（MOBILE DEMODULATOR ARCHITECTURE FOR A SPREAD SPECTRUM MULTIPLE ACCESS COMMUNICATION SYSTEM）」というタイトルの米国特許第５，７６４，６８７号明細書に記載されているものを含む。いくつかの構成において、パイロットチャネル、音声トラフィックチャネル、データトラフィックチャネル及び制御チャネル等の、受信信号Ｓ１０によって伝送される異なるチャネルを復調するために、異なるフィンガを用いてもよい。
【０１０３】
図２３は、レシーバＲ１００（または、Ｒ２００）の２つ以上のインスタンスを含む実施形態によるレシーバＲ３００のブロック図を示す。この受信ダイバーシティ構成において、上記レシーバのインスタンスの各々は、別々のアンテナ及びＲＦステージ（stage）を介して複素信号Ｓ１０のインスタンスを受信する。各レシーバのインスタンスは、しきい値Ｓ８０の別々のインスタンスを計算して適用するように構成することができ、または、レシーバのインスタンスの２つ以上は、しきい値Ｓ８０の同じ値を適用することができる。
【０１０４】
コンバイナ８００は、様々なレシーバのインスタンスからの合成シンボル推定Ｓ９０の合計に基づいて、合成シンボル推定Ｓ１００を計算するように構成されている。別の構成においては、コンバイナ８００は、代わりにシンボル推定Ｓ７０を受信して、本明細書に記載されているコンバイナ４００の記述に従って、合成シンボル推定Ｓ１００を計算するように構成することができる。後者の場合、コンバイナ４００は、レシーバのインスタンスの各々から省いてもよい。
【０１０５】
図２４Ａは、レシーバＲ１００（または、レシーバＲ２００、あるいはＲ３００）の構成を含む実施形態によるＵＥ  Ｕ１００のブロック図を示す。復号器５００は、合成シンボル推定Ｓ９０（または、Ｓ１００）のストリームを受取り、そのデータを復号して、コントローラ６００へ出力するように構成されている。復号器５００は、デインタリービング（de-interleaving）および／または冗長復号を実行するように構成することができ、およびビタビ（Viterbi）復号器、畳み込み（convolutional）復号器、ターボ復号器および／または他の適当な復号器を含むことができる。
【０１０６】
コントローラ６００は、復号したデータを、ユーザインタフェース７００による使用のために、認識可能な音声または情報にフォーマット化するように構成されている。また、コントローラ６００は、ＵＥ  Ｕ１００の他のエレメントから制御情報を受取り、および上記他のエレメントへ制御信号を供給するように構成することもできる。コントローラ６００は、一般的には、マイクロプロセッサおよびメモリを含み、レシーバＲ１００の制御処理および／または計算動作等の、ＵＥ  Ｕ１００の他の動作を実行するように構成することもできる。ユーザインタフェース７００は、受取った情報または音声を、ユーザおよび／または別のデバイスへ伝達する。一般的には、ユーザインタフェース７００は、ディスプレイ、キーパッド、スピーカ、マイクロフォン、およびＵＳＢまたはＰＣＭＣＩＡポート等のデータポートのうちの１つ以上を含む。ＵＥ  Ｕ１００は、セルラー電話、または、無線データモデムまたは他の周辺機器等の他のモバイルまたはポータブルユニット、携帯情報端末（ＰＤＡ）、衛星航法システム（ＧＰＳ）機器、あるいは、カメラまたは他のマルチメディア機器の一部であってもよい。
【０１０７】
図２４Ｂは、ユーザインタフェース７００の構成７１０を介して受取った情報を送信するように構成されている別のＵＥ  Ｕ２００のブロック図を示す。コントローラ６００の構成６１０は、送信のための制御動作も実行するように構成されており、復号器５００の構成５１０は、コーデック（codec）（符号器−復号器）として構成されている。レシーバＲ１００、Ｒ２００またはＲ３００の構成は、トランシーバ８００内に含まれ、および／または、さもなければ上記トランシーバに一体化され、上記トランシーバは、送信すべき情報を伝える複素ベースバンド信号を送信するように構成されている。
【０１０８】
記載された実施形態の前述のプレゼンテーションは、当業者が本発明を実行または使用できるように提供されている。これらの実施形態に対しては、様々な変更が可能であり、また、本明細書で提示されている包括的な原理は、他の実施形態にも同様に適用することもできる。例えば、実施形態は、ハードワイヤード（hard-wired）回路として、特定用途向け集積回路内に作り込まれた回路構成として、または、不揮発性記憶装置にロードされたファームウェアプログラム、または、マシン可読コードとしてデータ記憶媒体からロードされる、または上記データ記憶媒体にロードされるソフトウェアプログラムとして、部分的または全体的に実装することができ、このようなコードは、マイクロプロセッサまたは他のディジタル信号処理ユニット等の論理素子のアレイによって実行可能な命令である。
【０１０９】
例えば、本明細書に記載されている原理は、ＣＤＭＡまたは他のスペクトル拡散システムのフォワードおよび／またはリバースリンクに対して用いることができる。このような原理は、音声トラフィックの受信に、および／またはパケットデータサービスノード（packet data serving node；ＰＤＳＮ）からのデータトラフィックの受信に適用することができる。従って、本発明は、前述した実施形態に限定されるように意図されたものではなく、しかしむしろ、何らかの様式で本明細書に開示された原理及び新規な特徴に一致する最も広い範囲を許容すべきである。
【０１１０】
レシーバまたは他のデバイスあるいは装置の様々なエレメントは、例えば、１つのチップセットにおける同じチップ上に、または２つ以上のチップの間に存在する電子素子および／または光学素子として実施することができるが、このような限定のない他の構成も熟慮されている。このようなデバイスまたは装置の１つ以上のエレメントは、マイクロプロセッサ、組み込みプロセッサ、ＩＰコア、ディジタル信号プロセッサ、ＦＰＧＡ（field-programmable gate array；フィールドプログラマブルゲートアレイ）、ＡＳＳＰ（application-specific standard product；特定用途向用標準品）及びＡＳＩＣ（application-specific integrated circuit；特定用途向けＩＣ）等の論理素子（例えば、トランジスタ、ゲート）の１つ以上の固定されたまたはプログラム可能なアレイ上で実行する命令からなる１つ以上のセットとして全体的または部分的に実施することができる。また、１つ以上のこのようなエレメントは、共通の構造（例えば、異なる時間に、異なるエレメントに対応するコードの一部を実行するのに用いられるプロセッサ、または、異なる時間に、異なるエレメントに対して動作を実行する電子機器および／または光学機器の構成）を有することも可能である。
【図面の簡単な説明】
【０１１１】
【図１Ａ】レーキレシーバのブロック図。
【図１Ｂ】サーチャーを含むレーキレシーバのブロック図。
【図２】フィンガロックしきい値とフィンガロック状態の関係を示す図。
【図３Ａ】ロック状態の指示を加えるのに用いることのできる制御構造の実施例を示す図。
【図３Ｂ】ロック状態の指示を加えるのに用いることのできる制御構造の実施例を示す図。
【図３Ｃ】ロック状態の指示を加えるのに用いることのできる制御構造の実施例を示す図。
【図３Ｄ】ロック状態の指示を加えるのに用いることのできる制御構造の実施例を示す図。
【図４】高ジオメトリ状況の実施例における２つの受信インスタンスの経時的な相対信号品質値を示す図。
【図５】低ジオメトリ状況の実施例における２つの受信インスタンスの経時的な相対信号品質値を示す図。
【図６】ベースバンドフィルタに対する時間領域インパルス応答のプロットを示す図。
【図７】図６の時間領域応答の大きさのプロットを示す図。
【図８】メインローブ及び対応するサイドローブに対応する受信インスタンスに対する相対信号品質値の経時的変化を示す図。
【図９】低ジオメトリ状況における２つの受信インスタンスの経時的な相対信号品質値を示す図。
【図１０】一実施形態による方法Ｍ１００のフローチャート。
【図１１】方法Ｍ１００の構成Ｍ１１０のフローチャート。
【図１２Ａ】方法Ｍ１００の構成Ｍ１２０のフローチャート。
【図１２Ｂ】方法Ｍ１００の構成Ｍ１３０のフローチャート。
【図１３】図８に示す高ジオメトリシナリオへの方法Ｍ１００の適用を示す図。
【図１４】図９に示す低ジオメトリシナリオへの方法Ｍ１００の適用を示す図。
【図１５】２つの異なるマルチパスインスタンスをトラッキングするフィンガに適用される相対ロックしきい値を示す図。
【図１６】一実施形態によるレシーバＲ１００のブロック図。
【図１７】フィンガ１００の構成１０２のブロック図。
【図１８Ａ】復号器１１０の構成のブロック図。
【図１８Ｂ】復号器１１０の構成のブロック図。
【図１９Ａ】信号品質計算器１２０の構成１２２のブロック図。
【図１９Ｂ】最大値フィルタ２１０の構成２１２のブロック図。
【図２０】ロック状態計算器２００の構成２０２のブロック図。
【図２１】一実施形態によるレシーバＲ２００のブロック図。
【図２２】フィンガ１５０の構成１５２のブロック図。
【図２３】一実施形態によるレシーバＲ３００を含む受信ダイバーシティシステムのブロック図。
【図２４Ａ】一実施形態によるユーザ機器Ｕ１００のブロック図。
【図２４Ｂ】一実施形態によるユーザ機器Ｕ２００のブロック図。
【図１Ａ】
2009510941.tif 000007
【図１Ｂ】
2009510941.tif 000008
【図２】
2009510941.tif 000009
【図３Ａ】
2009510941.tif 000010
【図３Ｂ】
2009510941.tif 000011
【図３Ｃ】
2009510941.tif 000012
【図３Ｄ】
2009510941.tif 000013
【図４】
2009510941.tif 000014
【図５】
2009510941.tif 000015
【図６】
2009510941.tif 000016
【図７】
2009510941.tif 000017
【図８】
2009510941.tif 000018
【図９】
2009510941.tif 000019
【図１０】
2009510941.tif 000020
【図１１】
2009510941.tif 000021
【図１２Ａ】
2009510941.tif 000022
【図１２Ｂ】
2009510941.tif 000023
【図１３】
2009510941.tif 000024
【図１４】
2009510941.tif 000025
【図１５】
2009510941.tif 000026
【図１６】
2009510941.tif 000027
【図１７】
2009510941.tif 000028
【図１８Ａ】
2009510941.tif 000029
【図１８Ｂ】
2009510941.tif 000030
【図１９Ａ】
2009510941.tif 000031
【図１９Ｂ】
2009510941.tif 000032
【図２０】
2009510941.tif 000033
【図２１】
2009510941.tif 000034
【図２２】
2009510941.tif 000035
【図２３】
2009510941.tif 000036
【図２４Ａ】
2009510941.tif 000037
【図２４Ｂ】
2009510941.tif 000038
【国際調査報告】
2009510941.tif 000039
2009510941.tif 000040
2009510941.tif 000041